(57)【要約】【課題】排版時に使用済みの孔版原紙に記録されている画像情報の漏洩を防止する。【解決手段】多孔質支持体Ｍｓ上に熱溶融性フィルムＭｆを貼り合わせた孔版原紙Ｍを版胴３１の外周面３１ａから取り外して、取り外した使用済みの孔版原紙Ｍを版胴３１の外周面３１ａの近傍に設置した排版ボックス５１内に搬送する孔版原紙排版搬送手段５５を備えた排版装置５０において、孔版原紙排版搬送手段５５は、排版ボックス５１の入り口５１ａの近傍に設置され、孔版原紙Ｍの多孔質支持体Ｍｓに接しながら第１線速度Ｖ１で回転する第１排版用回転体５９と、排版ボックス５１の入り口５１ａの近傍に第１排版用回転体５９と対向して設置され、孔版原紙Ｍを第１排版用回転体５９との間でニップしたときに、孔版原紙Ｍの熱溶融性フィルムＭｆに接しながら第１線速度Ｖ１とは異なる第２線速度Ｖ２で回転する第２排版用回転体６２と、を備えた排版装置５０を提供する。【選択図】図２
2016215409.tif 000002
【特許請求の範囲】
【請求項１】
多孔質支持体上に熱溶融性フィルムを貼り合わせた孔版原紙を回転自在な版胴の外周面から取り外して、取り外した使用済みの前記孔版原紙を前記版胴の外周面の近傍に設置した排版ボックス内に搬送する孔版原紙排版搬送手段を備えた排版装置において、
前記孔版原紙排版搬送手段は、
前記排版ボックスの入り口の近傍に設置され、前記孔版原紙の多孔質支持体に接しながら第１線速度で回転する第１排版用回転体と、
前記排版ボックスの入り口の近傍に前記第１排版用回転体と対向して設置され、前記孔版原紙を前記第１排版用回転体との間でニップしたときに、前記孔版原紙の熱溶融性フィルムに接しながら前記第１線速度とは異なる第２線速度で回転する第２排版用回転体と、
を備えたことを特徴とする排版装置。
【請求項２】
前記第２排版用回転体の外周面の第２線速度を前記第１排版用回転体の外周面の第１線速度よりも速く設定したことを特徴とする請求項１に記載の排版装置。
【請求項３】
前記第１，第２排版用回転体の各外周面の第１，第２線速度を前記版胴の外周面の第３線速度よりも速く設定したことを特徴とする請求項１又は請求項２に記載の排版装置。
【発明の詳細な説明】
【技術分野】
【０００１】
本発明は、孔版印刷装置に係り、回転可能な版胴の円筒状の外周面に巻回させた孔版原紙を取り外して、取り外した使用済みの孔版原紙を排版ボックス内に排版搬送する際に、使用済みの孔版原紙に記録されている画像情報の漏洩を防止できる排版装置に関する。
【背景技術】
【０００２】
一般的に、孔版印刷装置は、この装置内に設けた製版部で製版された１版分の孔版原紙を回転可能な版胴の円筒状の外周面に巻回させ、且つ、版胴内に供給したインクを孔版原紙に形成した穿孔画像部分を通過させて用紙上に穿孔画像部分と対応した画像を印刷するものであり、１版分の孔版原紙により同一の画像を多数枚印刷することができるので多用されている。
【０００３】
この種の孔版印刷装置において、多数枚の用紙への印刷が終了した後に、版胴の外周面に巻回させた孔版原紙を取り外して、取り外した使用済みの孔版原紙を排版ボックス内に排版する際に、使用済みの孔版原紙に記録されている画像情報の漏洩を防止できる排版装置がある（例えば、特許文献１〜３参照）。
【０００４】
特許文献１，２では、版胴の外周面に巻回させた孔版原紙を取り外して、取り外した使用済みの孔版原紙を加熱手段により加熱溶融することで、使用済みの孔版原紙に記録されている画像情報の漏洩を防止している。
【０００５】
また、特許文献３では、版胴の外周面に巻回させた孔版原紙を取り外して、取り外した使用済みの孔版原紙を切断手段により切断することで、使用済みの孔版原紙に記録されている画像情報の漏洩を防止している。
【先行技術文献】
【特許文献】
【０００６】
【特許文献１】特開２００２−８６８８２号公報
【特許文献２】特開２００８−２８４８２８号公報
【特許文献３】特開平８−２３０３０３号公報
【発明の概要】
【発明が解決しようとする課題】
【０００７】
ところで、特許文献１，２では、使用済みの孔版原紙を加熱手段により加熱溶融する際に臭気が発生するので問題であり、更に、加熱手段を用いるために発火防止や安全面での配慮が必要である。
【０００８】
一方、特許文献３では、使用済みの孔版原紙を切断する切断手段は機構が複雑で高価であるので問題であり、更に、排版ジャムが発生した際の排版ジャム解除性や保守性が悪化するので問題である。
【０００９】
そこで、本発明は、版胴の外周面に巻回させた孔版原紙を取り外して、取り外した使用済みの孔版原紙を排版ボックス内に排版する際に、加熱手段や切断手段を用いることなく、簡単な構造による孔版原紙排版搬送手段を用いて使用済みの孔版原紙に記録されている画像情報の漏洩を防止できる排版装置を提供することを目的とする。
【課題を解決するための手段】
【００１０】
本発明は上記課題に鑑みてなされたものであり、第１の発明は、多孔質支持体上に熱溶融性フィルムを貼り合わせた孔版原紙を回転自在な版胴の外周面から取り外して、取り外した使用済みの前記孔版原紙を前記版胴の外周面の近傍に設置した排版ボックス内に搬送する孔版原紙排版搬送手段を備えた排版装置において、
前記孔版原紙排版搬送手段は、
前記排版ボックスの入り口の近傍に設置され、前記孔版原紙の多孔質支持体に接しながら第１線速度で回転する第１排版用回転体と、
前記排版ボックスの入り口の近傍に前記第１排版用回転体と対向して設置され、前記孔版原紙を前記第１排版用回転体との間でニップしたときに、前記孔版原紙の熱溶融性フィルムに接しながら前記第１線速度とは異なる第２線速度で回転する第２排版用回転体と、
を備えたことを特徴とする排版装置である。
【００１１】
また、第２の発明は、上記した第１の発明の排版装置において、
前記第２排版用回転体の外周面の第２線速度を前記第１排版用回転体の外周面の第１線速度よりも速く設定したことを特徴とする排版装置である。
【００１２】
また、第３の発明は、上記した第１又は第２の発明の排版装置において、
前記第１，第２排版用回転体の各外周面の第１，第２線速度を前記版胴の外周面の第３線速度よりも速く設定したことを特徴とする排版装置である。
【発明の効果】
【００１３】
第１の発明の排版装置によれば、
多孔質支持体上に熱溶融性フィルムを貼り合わせた孔版原紙を回転自在な版胴の外周面から取り外して、取り外した使用済みの孔版原紙を版胴の外周面の近傍に設置した排版ボックス内に搬送する孔版原紙排版搬送手段を備えた排版装置において、孔版原紙排版搬送手段内に設けた第１線速度で回転する第１排版用回転体と、第１線速度とは異なる第２線速度で回転する第２排版用回転体との間で使用済みの孔版原紙をニップして排版ボックス内に排版搬送する際に、使用済みの孔版原紙は多数の孔の穿孔によりフィルム強度が弱くなっているので、第１，第２排版用回転体間で生じる速度差により使用済みの孔版原紙にスリップを発生させ、このスリップにより多孔質支持体上から熱溶融性フィルムが剥がれる。
【００１４】
この結果、使用済みの孔版原紙に記録されている画像情報を読み取ることができなくなるので、簡単な構造による孔版原紙排版搬送手段を用いて使用済みの孔版原紙上の画像情報に対して漏洩を防止できる、
また、第２の発明の排版装置によれば、
第２排版用回転体の外周面の第２線速度を第１排版用回転体の外周面の第１線速度よりも速く設定したので、第１，第２排版用回転体間で孔版原紙をニップしたときに、第２排版用回転体と接する孔版原紙の熱溶融性フィルムを多孔質支持体からより剥がれ易くすることができる。
【００１５】
また、第３の発明の排版装置によれば、
第１，第２排版用回転体の各外周面の第１，第２線速度を版胴の外周面の第３線速度よりも速く設定したので、第１，第２排版用回転体間で孔版原紙をニップしたときに、第１排版用回転体と接する孔版原紙の多孔質支持体に版胴側からのバックテンションを与えることで、両排版用回転体間にニップされた孔版原紙を強制的にスリップさせて、孔版原紙の熱溶融性フィルムを多孔質支持体からより剥がれ易くすることができる。
【図面の簡単な説明】
【００１６】
【図１】本発明に係る排版装置を適用した孔版印刷装置の全体構成を示した構成図である。
【図２】本発明に係る排版装置内に設けた孔版原紙排版搬送手段を示した斜視図である。
【図３】（ａ）〜（ｃ）は本発明に係る排版装置に設けた孔版原紙排版搬送手段の動作を説明するために模式的に示した図である。
【発明を実施するための形態】
【００１７】
以下に本発明に係る排版装置を実施する形態について、図１〜図３を参照して詳細に説明する。
【００１８】
本発明に係る排版装置を説明する前に、この排版装置を適用した孔版印刷装置について、図１を用いて簡略に説明する。
【００１９】
図１は本発明に係る排版装置を適用した孔版印刷装置の全体構成を示している。
【００２０】
図１に示す如く、孔版印刷装置１は、箱状に形成した装置筐体２と、操作パネル部１０と、原稿読取部１５と、製版部２０と、給紙部２５と、印刷部３０と、カム駆動部４０と、排紙部４５と、本発明に係る排版装置（排版部）５０と、制御部８０とを備えて構成されている。
【００２１】
まず、上記した操作パネル部１０は、装置筐体２の天面２ａの左方（又は前面）に設置されている。この操作パネル部１０は、印刷ジョブを行うための各種の機能釦と、テンキーと、液晶表示パネルなどを備えており、ユーザによる操作パネル部１０への操作により孔版印刷装置１が操作されている。
【００２２】
次に、上記した原稿読取部１５は、装置筐体２の天面２ａの右方に設置されている。この原稿読取部１５は、画像や文字などの画像情報が記載された原稿を読み取るスキャナを備えており、読み取った画像情報は製版部２０に送られる。
【００２３】
次に、上記した製版部２０は、装置筐体２内の右上方部位に設置されている。この製版部２０は、ロール状に巻回された孔版原紙（マスタ）Ｍを製版部２０からの画像情報に応じて感熱穿孔するサーマルヘッドと、感熱穿孔した孔版原紙Ｍを所定の長さの１版分に切断するカッタ刃とを備えており、１版分に切断した製版済みの孔版原紙Ｍを印刷部３０に送っている。
【００２４】
この際、孔版原紙Ｍは、和紙などの多孔質支持体上に熱溶融性フィルムを貼り合わせて形成されており、この孔版原紙Ｍに対してサーマルヘッド内に設けた複数の発熱素子を画像情報に応じて加熱して、孔版原紙Ｍの熱溶融性フィルム上に穿孔画像部を製版している。
【００２５】
次に、上記した給紙部２５は、装置筐体２の左側面２ｂ側に設置されている。この給紙部２５は、未印刷の用紙Ｐを複数積層する給紙台と、給紙台に積層された用紙Ｐを給紙する給紙手段とを備えており、給紙した用紙Ｐを印刷部３０に送っている。
【００２６】
次に、上記した印刷部３０は、装置筐体２内の略中央部位に設置されている。この印刷部３０は、直径φＤの円筒状の外周面３１ａが孔版原紙Ｍ及び用紙Ｐの幅方向に沿って長尺に形成された回転可能な版胴３１を備えている。この版胴３１は、中心軸３２を中心にしてエンコーダ３３をモータ後端軸に取り付けた版胴モータ３４によって図示反時計方向に回転駆動されるようになっている。
【００２７】
また、版胴３１の中心軸３２の一端面側には、インクＩＫを挿入するためのインク挿入口３２ａが形成されており、版胴３１内に供給されたインクＩＫは多孔性を有する版胴３１の外周面３１ａに向って滲み出るようになっている。
【００２８】
また、版胴３１の外周面３１ａの一部には、孔版原紙着版時に製版部２０から送られた製版済みの孔版原紙Ｍの先端部位をクランプしてこの孔版原紙Ｍを外周面３１ａに沿って巻回させるためのクランプ板３５と、孔版原紙排版時に使用済みの孔版原紙Ｍの先端部位を外周面３１ａから排版装置（排版部）５０に向けて跳ね上げるための跳ね上げ板３６とが開閉可能に取り付けられている。
【００２９】
また、版胴３１の下方には、プレスローラ３７が不図示のプレスローラ接離機構部により版胴３１の外周面３１ａに対して所定の押圧力で接離自在に設けられている。
【００３０】
更に、版胴３１の右下方には、剥離爪３８が版胴３１の外周面３１ａに接近して設置されている。この剥離爪３８は、印刷部３０で印刷された印刷済みの用紙Ｐを版胴３１の外周面３１ａ側から剥離する機能を備えている。
【００３１】
次に、上記したカム駆動部４０は、印刷部３０の版胴３１の上部及び製版部２０の孔版原紙排出口に接近して設置されている。このカム駆動部４０は、版胴３１の外周面３１ａの一部に取り付けたクランプ板３５及び跳ね上げ板３６を開閉するカム（図示せず）を駆動している。
【００３２】
そして、印刷部３０では、版胴３１を反時計方向に回転してクランプ板３５が上方に至ったときにカム駆動部４０でクランプ板３５を開いて、このクランプ板３５で製版済みの孔版原紙Ｍの先端部をクランプして、孔版原紙Ｍを外周面３１ａに沿って巻回させている。
【００３３】
この後、給紙部２５から送られた未印刷の用紙Ｐをプレスローラ３７で版胴３１の外周面３１ａに巻回した製版済みの孔版原紙Ｍに押し当てて、版胴３１とプレスローラ３７とで用紙Ｐを下流側に向けて搬送しながら版胴３１内に供給されたインクＩＫを孔版原紙Ｍを通して用紙Ｐ上に孔版原紙Ｍの穿孔画像部に対応した画像を印刷している。
【００３４】
次に、上記した排紙部４５は、装置筐体２の右側面２ｃ側に設置されている。この排紙部４５は、印刷済みの用紙Ｐを排紙する排紙ローラ対と、印刷済みの用紙Ｐを積層する排紙台とを備えており、版胴３１側から剥離爪３８により剥離された印刷済みの用紙Ｐが排紙台上に排出されている。
【００３５】
次に、排版装置（排版部）５０は、装置筐体２内で版胴３１の左上方近傍に設置されている。この排版装置５０は、版胴３１の外周面３１ａの近傍に設置されて使用済みの孔版原紙Ｍを収容する排版ボックス５１と、排版ボックス５１の入り口５１ａの近傍に設けた孔版原紙排版搬送手段５５とを備えている。
【００３６】
そして、版胴３１の回転によりクランプ板３５及び跳ね上げ板３６が上方に至ったときにカム駆動部４０でクランプ板３５及び跳ね上げ板３６を開いて、この跳ね上げ板３６で版胴３１の外周面３１ａから使用済みの孔版原紙Ｍの先端部位を跳ね上げた後に、使用済みの孔版原紙Ｍを孔版原紙排版搬送手段５５により排版ボックス５１内に排版搬送している。
【００３７】
この際、上記した孔版原紙排版搬送手段５５は、本発明の要部を構成する手段であり、これについては後で詳述する。
【００３８】
次に、制御部８０は、装置筐体２内の適宜な位置に設置されている。この制御部８０は、内部にＣＰＵやＲＯＭやＲＡＭなどを有しており、孔版印刷装置１を全体的に制御しているので、本発明に係る排版装置（排版部）５０も当然制御している。
【００３９】
ここで、排版装置（排版部）５０の排版ボックス５１の入り口５１ａの近傍に設けた孔版原紙排版搬送手段５５について、図１及び図２を併用して説明する。
【００４０】
図２は本発明に係る排版装置内に設けた孔版原紙排版搬送手段を斜視的に示している。
【００４１】
図２に示す如く、孔版原紙排版搬送手段５５は、版胴３１の外周面３１ａから取り外された使用済みの孔版原紙Ｍを原紙排版方向に沿って排版ボックス５１内に排版搬送する際に、使用済みの孔版原紙Ｍに記録されている画像情報の漏洩を防止できるように構成されている。
【００４２】
即ち、孔版原紙排版搬送手段５５は、製版済みの孔版原紙Ｍの熱溶融性フィルムＭｆ上に形成した穿孔画像部分は多数の孔が穿孔されているためにフィルム強度が弱くなっているので、この熱溶融性フィルムＭｆを多孔質支持体Ｍｓ上から引き剥がして損傷させることで、使用済みの孔版原紙Ｍに記録されている画像情報の漏洩を防止できるように図られており、これについては後で詳述する。
【００４３】
まず、孔版原紙排版搬送手段５５の構成について説明すると、この孔版原紙排版搬送手段５５では、版胴３１の左外側部位に左右一対の側板５６Ｌ，５６Ｒが、孔版原紙Ｍの原紙排版方向と略平行で且つ原紙排版方向と直交する原紙幅方向に互い間隔を離して垂設されている。
【００４４】
また、左右一対の側板５６Ｌ，５６Ｒ間には、誘い込みローラ５７を原紙幅方向に沿って間隔を離して複数固着した長尺な回転軸５８と、第１排版用回転体の一例となる第１排版ローラ５９を誘い込みローラ５７と同じ間隔で複数固着した長尺な第１回転軸６０とが、互いに原紙幅方向に沿って平行に設置されて回転可能に軸支されている。
【００４５】
上記した誘い込みローラ５７と第１排版ローラ５９は、版胴３１の上方部位に接近し、且つ、排版ボックス５１の入り口５１ａの近傍に設置されており、誘い込みローラ５７の左下方に第１排版ローラ５９が常時添接している。
【００４６】
この際、誘い込みローラ５７は版胴３１から取り外された使用済みの孔版原紙Ｍのうちで熱溶融性フィルムＭｆに接し、一方、第１排版ローラ５９は使用済みの孔版原紙Ｍのうちで多孔質支持体Ｍｓに接するように配置されている。
【００４７】
また、第１排版ローラ５９を固着した第１回転軸６０は、第１ギアードモータ６１に連結されているので、第１排版ローラ５９は駆動ローラであり、この第１排版ローラ５９に常時添接している誘い込みローラ５７は従動ローラである。
【００４８】
そして、制御部８０の指令により第１ギアードモータ６１を回転駆動したときに、第１排版ローラ５９の外周面が第１線速度Ｖ１で反時計方向に回転する一方、この第１排版ローラ５９に従動する誘い込みローラ５７は時計方向に回転するようになっている。
【００４９】
上記により、版胴３１の外周面３１ａから取り外された使用済みの孔版原紙Ｍは、誘い込みローラ５７により誘い込まれた後に、この誘い込みローラ５７と第１排版ローラ５９との間でニップ（挟持）されながら原紙排版方向の下流に向って搬送されるようになっている。
【００５０】
また、第１排版ローラ５９の上方には、第２排版用回転体の一例となる第２排版ローラ６２を第１排版ローラ５９と対向してこの第１排版ローラ５９と同じ間隔で複数固着した長尺な第２回転軸６３が、揺動可能な左右一対の揺動アーム６４Ｌ，６４Ｒのうちで版胴３１の外周面３１ａと対向する各一端部６４ａ，６４ａ側に回転可能に軸支されている。
【００５１】
また、上記した左右一対の揺動アーム６４Ｌ，６４Ｒは、原紙幅方向に間隔を離して略左右対称に形成され、且つ、原紙排版方向と略平行に長尺に形成されている。
【００５２】
また、左右一対の揺動アーム６４Ｌ，６４Ｒの各中間部位は、左右一対の側板５６Ｌ，５６Ｒに取り付けた左右一対のアーム支持軸６５Ｌ，６５Ｒに揺動可能に支持されているので、左右一対の揺動アーム６４Ｌ，６４Ｒは左右一対のアーム支持軸６５Ｌ，６５Ｒを中心にして時計方向及び反時計方向に揺動可能になっている。
【００５３】
また、左右一対の揺動アーム６４Ｌ，６４Ｒのうちで左方の揺動アーム６４Ｌ側には、第２排版ローラ６２の回転駆動源となるモータ６６が設けられている。このモータ６６の先端軸にはピニオンギア６７が固着されており、且つ、ピニオンギア６７は左方のアーム支持軸６５Ｌに軸支した大径ギア６８に噛合している。
【００５４】
更に、大径ギア６８は、左方の揺動アーム６４Ｌ上で一端部６４ａ側に向って順に取り付けた第１シャフト６９に軸支した第１中間ギア７０に噛合し、且つ、第１中間ギア７０は第２シャフト７１に軸支した第２中間ギア７２に噛合し、且つ、第２中間ギア７２は第２排版ローラ６２と一体に回転する第２回転軸６３に固着した第３中間ギア７３に噛合している。
【００５５】
この際、第１，第２，第３中間ギア７０，７２，７３は共に同径で大径ギア６８よりも小径に形成されており、複数のギア６７，６８，７０，７２，７３で減速ギア列が構成されている。
【００５６】
これにより、モータ６６の回転が減速されて、第２排版ローラ６２の外周面が後述するように第１排版ローラ５９の外周面の第１線速度Ｖ１とは異なる第２線速度Ｖ２で回転できるようになっている。
【００５７】
更に、第１，第２排版ローラ５９，６２の各外周面の第１，第２線速度Ｖ１，Ｖ２は、版胴３１の外周面３１ａの第３線速度Ｖ３{図３（ａ）〜（ｃ）}よりも速く設定されており、第１，第２，第３線速度Ｖ１，Ｖ２，Ｖ３については後で詳述する。
【００５８】
そして、制御部８０の指令によりモータ６６を回転駆動したときに、複数のギア６７，６８，７０，７２，７３がそれぞれ矢印方向に回転して、最終的に第２排版ローラ６２が時計方向に回転するようになっている。
【００５９】
この際、誘い込みローラ５７と第１排版ローラ５９との間を通過した使用済みの原稿原紙Ｍを第１，第２排版ローラ５９，６２間でニップしたときに、第２排版ローラ６２は使用済みの原稿原紙Ｍの熱溶融性フィルムＭｆに接するように配置されている。
【００６０】
また、左右一対の揺動アーム６４Ｌ，６４Ｒ中で各一端部６４ａ，６４ａ側とは左右一対のアーム支持軸６５Ｌ，６５Ｒを介した各他端部６４ｂ，６４ｂ側の各上端部６４ｂ１，６４ｂ１の近傍には、左右一対の引張バネ７４Ｌ，７４Ｒが掛けられている。これら左右一対の引張バネ７４Ｌ，７４Ｒは、第２排版ローラ６２を使用済みの孔版原紙Ｍを介して第１排版ローラ５９に押圧する左右一対の付勢手段として機能している。
【００６１】
また、左右一対の揺動アーム６４Ｌ，６４Ｒの各他端部６４ｂ，６４ｂ側には、左右一対の偏心カム７５Ｌ．７５Ｒが左右一対の側板５６Ｌ，５６Ｒ間に回転可能に軸支した長尺な回転軸７６の左右に固着されており、且つ、回転軸７６は第２ギアードモータ７７に連結されている。
【００６２】
上記した左右一対の偏心カム７５Ｌ．７５Ｒは、回転軸７６からの半径が小さい小径部７５ａ，７５ａと、回転軸７６からの半径が大きい大径部７５ｂ，７５ｂとを有して形成されている。
【００６３】
そして、制御部８０の指令により第２ギアードモータ７７を回転駆動したときに、回転軸７６と一体に左右一対の偏心カム７５Ｌ．７５Ｒが時計方向（又は反時計方向）に回転して、左右一対の偏心カム７５Ｌ．７５Ｒが左右一対の揺動アーム６４Ｌ，６４Ｒの各他端部６４ｂ，６４ｂ側の各上端部６４ｂ１，６４ｂ１に接離することで、左右一対の揺動アーム６４Ｌ，６４Ｒが左右一対のアーム支持軸６５Ｌ，６５Ｒを中心にして揺動可能になっている。
【００６４】
この際、左右一対の偏心カム７５Ｌ．７５Ｒに形成した各小径部７５ａ，７５ａが左右一対の揺動アーム６４Ｌ，６４Ｒの各他端部６４ｂ，６４ｂ側の各上端部６４ｂ１，６４ｂ１から離間しているときには、左右一対の引張バネ７４Ｌ，７４Ｒの付勢力により左右一対の揺動アーム６４Ｌ，６４Ｒが左右一対のアーム支持軸６５Ｌ，６５Ｒを中心にして時計方向に揺動する。
【００６５】
これにより、第２排版ローラ６２が、誘い込みローラ５７と第１排版ローラ５９との間を通過した使用済みの孔版原紙Ｍを挟んで第１排版ローラ５９をニップするニップ位置に至るようになっている。
【００６６】
一方、左右一対の偏心カム７５Ｌ．７５Ｒに形成した各大径部７５ｂ，７５ｂが左右一対の揺動アーム６４Ｌ，６４Ｒの各他端部６４ｂ，６４ｂ側の各上端部６４ｂ１，６４ｂ１に当接しているときには、左右一対の引張バネ７４Ｌ，７４Ｒの付勢力に抗して左右一対の揺動アーム６４Ｌ，６４Ｒが左右一対のアーム支持軸６５Ｌ，６５Ｒを中心にして反時計方向に揺動する。
【００６７】
これにより、第２排版ローラ６２が第１排版ローラ５９から離間して上方の退避位置に退避するようになっている。
【００６８】
また、左右一対の揺動アーム６４Ｌ，６４Ｒの各他端部６４ｂ，６４ｂ側の下方には、左右一対のストッパピン７８Ｌ，７８Ｒが左右一対の側板５６Ｌ，５６Ｒの各内面に固着されている。そして、これら左右一対のストッパピン７８Ｌ，７８Ｒは、左右一対の揺動アーム６４Ｌ，６４Ｒが反時計方向に揺動したときの上限位置を規制している。
【００６９】
この際、第２排版ローラ６２を第１排版ローラ５９にニップするニップ位置と、第１排版ローラ５９から離間させた退避位置との間を揺動させる揺動機構部を設けた理由について説明する。
【００７０】
この理由は、第２排版ローラ６２を第１排版ローラ５９に常時押圧させた場合には、第１，第２排版ローラ５９，６２の各外周面の第１，第２線速度Ｖ１，Ｖ２が異なることにより両ローラ５９，６２間で速度差が生じる。
【００７１】
この速度差によって高速側の排版ローラ（５９又は６２）の回転負荷が増加し、高速側の排版ローラ（５９又は６２）を回転させるモータ（６１又は６６）の脱調や、減速用のギアなどが破損してしまう危険性が生じる。
【００７２】
従って、使用済みの孔版原紙Ｍを第１，第２排版ローラ５９，６２間でニップしていないときには、第２排版ローラ６２を第１排版ローラ５９から退避位置に退避させた方が高速側の排版ローラ（５９又は６２）の回転負荷を軽減できる。
【００７３】
また、第２排版ローラ６２を揺動させる揺動機構部を備えることにより、孔版原紙Ｍの排版中に排版ジャムが生じときに、第２排版ローラ６２を第１排版ローラ５９から離間させることで、排版ジャム解除性を向上できる。
【００７４】
ここで、上記のように構成した孔版原紙排版搬送手段５５の動作について、先に説明した図１及び図２と、新たな図３（ａ）〜（ｃ）とを併用して説明する。
【００７５】
図３は本発明に係る排版装置に設けた孔版原紙排版搬送手段の動作を説明するために模式的に示しており、（ａ）は孔版原紙の排版直前状態を示し、（ｂ）は孔版原紙の排版開始状態を示し、（ｃ）は孔版原紙の排版終了状態を示している。
【００７６】
尚、図３（ａ）〜（ｃ）では、図２に示した左右一対の揺動アーム６４Ｌ，６４Ｒのうちで減速ギア列６７，６８，７０，７２，７３が設けられた左方の揺動アーム６４Ｌ側に対してのみ符番を付して説明する。
【００７７】
まず、図３（ａ）に示す孔版原紙Ｍの排版直前状態では、孔版印刷装置１内に設けた版胴３１の外周面３１ａが第３線速度Ｖ３で反時計方向に回転している。
【００７８】
そして、大量の用紙Ｐへの印刷が終了した後に、版胴３１の反時計方向への回転と共に、版胴３１の外周面３１ａに巻回した使用済みの孔版原紙Ｍの先端部位がクランプ板３５にクランプされたまま上方に至り、ここでカム駆動部４０によりクランプ板３５及び跳ね上げ板３６が共に開いて、使用済みの孔版原紙Ｍの先端部位が版胴３１の外周面３１ａから取り外される。そして、版胴３１の反時計方向への回転に伴って、取り外された使用済みの孔版原紙Ｍの先端部位は、排版ボックス５１の入り口５１ａの近傍に設置した誘い込みローラ５７に向う。
【００７９】
このとき、孔版原紙排版搬送手段５５側では、第１ギアードモータ６１の駆動力により第１排版ローラ５９の外周面を版胴３１の外周面３１ａの第３線速度Ｖ３よりも速い第１線速度Ｖ１で反時計方向に回転させており、この第１排版ローラ５９に従動する誘い込みローラ５７は時計方向に回転しているので、版胴３１から取り外された使用済みの孔版原紙Ｍの先端部位の誘い込みを待機している。
【００８０】
一方、左方の揺動アーム６４Ｌ側では、モータ６６及び減速ギア列６７，６８，７０，７２，７３が回転を停止しているので、第２排版ローラ６２も回転を停止している。このとき、偏心カム７５Ｌの大径部７５ｂが揺動アーム６４Ｌの他端部６４ｂ側の上端部６４ｂ１に当接しているので、揺動アーム６４Ｌが引張バネ７４Ｌの付勢力に抗してアーム支持軸６５Ｌを中心にして反時計方向に揺動し、この揺動アーム６４Ｌの一端部６４ａ側に軸支した第２排版ローラ６２は第１排版ローラ５９から離間して上方の退避位置に退避している。
【００８１】
従って、孔版原紙Ｍが誘い込みローラ５７と第１排版ローラ５９とにニップされる前の排版直前までは、揺動アーム６４Ｌの一端部６４ａ側に軸支した第２排版ローラ６２が、排版装置５０の初期状態又は排版待機状態を保っている。
【００８２】
次に、図３（ｂ）に示す孔版原紙Ｍの排版開始状態では、版胴３１の外周面３１ａから取り外された使用済みの孔版原紙Ｍの先端部位は、版胴３１の更なる反時計方向への回転に伴って誘い込みローラ５７に誘い込まれ、この誘い込みローラ５７と第１排版ローラ５９との間に進入する。
【００８３】
このとき、版胴３１の回転位置を、版胴モータ３４のモータ後端軸に取り付けたエンコーダ３３のパルス数により検出しているので、使用済みの孔版原紙Ｍの先端部位が誘い込みローラ５７に誘い込まれるタイミング時の版胴３１の回転位置が予め設定されたパルス数になるを制御部８０で計数している。
【００８４】
そして、使用済みの孔版原紙Ｍの先端部位が誘い込みローラ５７に誘い込まれるタイミングに至ったら、第２ギアードモータ７７を駆動して偏心カム７５Ｌの小径部７５ａが揺動アーム６４Ｌの他端部６４ｂ側の上端部６４ｂ１に当接しない位置まで偏心カム７５Ｌを回転させる。
【００８５】
これに伴って、揺動アーム６４Ｌが引張バネ７４Ｌの付勢力によりアーム支持軸６５Ｌを中心にして時計方向に揺動し、この揺動アーム６４Ｌの一端部６４ａ側に軸支した第２排版ローラ６２は第１排版ローラ５９を押圧する。
【００８６】
また、使用済みの孔版原紙Ｍの先端部位が誘い込みローラ５７に誘い込まれるタイミングで、モータ６６を駆動して減速ギア列６７，６８，７０，７２．７３を介して第２排版ローラ６２を時計方向に回転させる。
【００８７】
更に、誘い込みローラ５７と第１排版ローラ５９との間に進入した使用済みの孔版原紙Ｍの先端部位が第１排版ローラ５９と第２排版ローラ６２との間でニップ開始されたときに、第２排版ローラ６２の外周面の第２線速度Ｖ２を第１排版ローラ５９の外周面の第１線速度Ｖ１とは異なる線速度となるように、制御部８０を介してモータ６６を制御している。この際、第１，第２排版ローラ５９，６２間で使用済みの孔版原紙Ｍの先端部位がニップ開始されるタイミングも版胴３１の回転位置と対応したエンコーダ３３のパルス数を制御部８０で計数することにより検出できる。
【００８８】
上記から、第１排版ローラ５９と第２排版ローラ６２との間で速度差ΔＶ＝｜Ｖ１−Ｖ２｜が生じ、この速度差ΔＶにより第１排版ローラ５９と第２排版ローラ６２との間で使用済みの孔版原紙Ｍに対してスリップを発生させる。
【００８９】
そして、前述したように、使用済みの孔版原紙Ｍは多数の孔の穿孔によりフィルム強度が弱くなっているので、使用済みの孔版原紙Ｍにスリップが発生すると、このスリップにより多孔質支持体Ｍｓ上から熱溶融性フィルムＭｆが剥がれる。この後、多孔質支持体Ｍｓ上から熱溶融性フィルムＭｆが剥がれた使用済みの孔版原紙Ｍは、第１，第２排版ローラ５９，６２間から排版ボックス５１内に排版される。また、使用済みの孔版原紙Ｍがスリップしても第１，第２排版ローラ５９，６２の回転負荷は増加しない。
【００９０】
この際、第１排版ローラ５９と第２排版ローラ６２との間で速度差Δを発生させる際に、第２排版ローラ６２の外周面の第２線速度Ｖ２を第１排版ローラ５９の外周面の第１線速度Ｖ１よりも速く設定したので、第１，第２排版ローラ５９，６２間で孔版原紙Ｍをニップしたときに、第２排版ローラ６２と接する孔版原紙Ｍの熱溶融性フィルムＭｆを多孔質支持体Ｍｓからより剥がれ易くすることができる。
【００９１】
更に、第１，第２排版ローラ５９，６２の各外周面の第１，第２線速度Ｖ１，Ｖ２を版胴３１の外周面３１ａの第３線速度Ｖ３よりも速く設定したので、第１，第２排版ローラ５９，６２間で孔版原紙Ｍをニップしたときに、第１排版ローラ５９と接する孔版原紙Ｍの多孔質支持体Ｍｓに版胴３１側からのバックテンションを与えることで、両排版ローラ５９，６２間にニップされた孔版原紙Ｍを強制的にスリップさせて、孔版原紙Ｍの熱溶融性フィルムＭｆを多孔質支持体Ｍｓからより剥がれ易くすることができる。
【００９２】
従って、第２排版ローラ６２の外周面の第２線速度Ｖ２＞第１排版ローラ５９の外周面の第１線速度Ｖ１＞版胴３１の外周面の第３線速度Ｖ３の順に設定している。
【００９３】
具体的には、第２排版ローラ６２の外周面の第２線速度Ｖ２を版胴３１の外周面の第３線速度Ｖ３よりも１．１５〜１．２倍程度速く設定し、且つ、第１排版ローラ５９の外周面の第１線速度Ｖ１よりも１．０５〜１．３倍程度速く設定することが望ましい。
【００９４】
次に、図３（ｃ）に示す孔版原紙Ｍの排版終了状態では、第１，第２排版ローラ５９，６２間で生じる速度差Δによって孔版原紙Ｍ全体に対して多孔質支持体Ｍｓ上から熱溶融性フィルムＭｆが剥がれると、使用済みの孔版原紙Ｍに記録されている画像情報を読み取ることができなくなるので、簡単な構造による孔版原紙排版搬送手段５５を用いて使用済みの孔版原紙Ｍ上の画像情報に対して漏洩を防止できる、
そして、排版が終了した使用済みの孔版原紙Ｍは不図示の圧縮板により圧縮されて排版ボックス５１内に収容される。
【００９５】
また、使用済みの孔版原紙Ｍの終端側が第１，第２排版ローラ５９，６２間のニップ位置から離れる直前に、第２ギアードモータ７７を駆動して偏心カム７５Ｌの大径部７５ｂが揺動アーム６４Ｌの他端部６４ｂ側の上端部６４ｂ１に当接する位置まで偏心カム７５Ｌを回転させる。
【００９６】
これに伴って、揺動アーム６４Ｌが引張バネ７４Ｌの付勢力に抗してアーム支持軸６５Ｌを中心にして反時計方向に揺動し、この揺動アーム６４Ｌの一端部６４ａ側に軸支した第２排版ローラ６２を第１排版ローラ５９から離間させると共に、第２排版ローラ６２の回転を停止させた状態で上方に退避させることで、第２排版ローラ６２の回転負荷を軽減できる。
【００９７】
尚、以上詳述した孔版原紙排版搬送手段５５では、孔版原紙Ｍの排版直前で第２排版ローラ６２を第１排版ローラ５９から離間させた例について説明したが、第２排版ローラ６２を揺動させる揺動機構部を設けることなく、第２排版ローラ６２を第１排版ローラ５９に常時押圧させても良い。
【００９８】
この場合には、誘い込みローラ５７と第１排版ローラ５９との間を通過した使用済みの孔版原紙Ｍが第１排版ローラ５９と第２排版ローラ６２とでニップ開始されるタイミングで第２排版ローラ６２を加速して第１排版ローラ５９に対して速度差Δを生じさせれば良い。
【００９９】
尚また、孔版原紙排版搬送手段５５では、第１，第２排版ローラ５９，６２間で速度差Δを生じさせるために、第１，第２排版ローラ５９，６２をそれぞれ異なる２つのモータ６１，６６を用いて回転させているが、これに限ることなく、一つのモータを共用して速度差Δを生じさせることも可能である。
【０１００】
この一つのモータを共用する場合には、ここでの図示を省略するが、一つのモータの回転を減速比が異なる２つの減速機構部を用いて、第１，第２排版ローラ５９，６２の各外周面の第１，第２線速度Ｖ１，Ｖ２を異なる線速度に設定すると共に、第１，第２排版ローラ５９，６２の回転方向を違えて回転させれば良い。
【０１０１】
尚更に、孔版原紙排版搬送手段５５では、第１，第２排版用回転体の一例として第１，第２排版ローラ５９，６２を用いて説明したが、これに限ることなく、第１，第２排版用回転体の他例として第１，第２排版ベルトを用いても良い。この場合、第１，第２排版ベルトは、ここでの図示を省略するが、駆動源と連結した第１プーリと、この第１プーリと間隔を離した第２プーリとの間にベルトをエンドレスに巻回させている。そして、第１，第２排版ベルト間で速度差を持って使用済みの孔版原紙を挟持搬送させれば良い。
【符号の説明】
【０１０２】
１…孔版印刷装置、２…装置筐体、１０…操作パネル部、１５…原稿読取部、
２０…製版部、２５…給紙部、３０…印刷部、３１…版胴、３１ａ…外周面、
３３…エンコーダ、３４…版胴モータ、３５…クランプ板、３６…跳ね上げ板、
４０…カム駆動部、４５…排紙部、
５０…排版装置（排版部）、５１…排版ボックス、５１ａ…入り口、
５５…孔版原紙排版搬送手段、
５６Ｌ，５６Ｒ…左右一対の側板、５７…誘い込みローラ、５８…回転軸、
５９…第１排版用回転体（第１排版ローラ）、６０…第１回転軸、
６１…第１ギアードモータ、
６２…第２排版用回転体（第２排版ローラ）、６３…第２回転軸、
６４Ｌ，６４Ｒ…左右一対の揺動アーム、６４ａ…一端部、６４ｂ…他端部、
６５Ｌ，６５Ｒ…左右一対のアーム支持軸、
６６…モータ、６７…ピニオンギア、６８…大径ギア、６９…第１シャフト、
７０…第１中間ギア、７１…第２シャフト、７２…第２中間ギア、
７３…第３中間ギア、７４Ｌ，７４Ｒ…左右一対の付勢手段（左右一対の引張バネ）、
７５Ｌ，７５Ｒ…左右一対の偏心カム、７５ａ…小径部、７５ｂ…大径部、
７６…回転軸、７７…第２ギアードモータ、
７８Ｌ，７８Ｒ…左右一対のストッパピン、
８０…制御部、
Ｍ…孔版原紙（マスタ）、Ｍｓ…多孔質支持体、Ｍｆ…熱溶融性フィルム、Ｐ…用紙、
Ｖ１…第１排版用回転体（第１排版ローラ）の外周面の第１線速度、
Ｖ２…第２排版用回転体（第２排版ローラ）の外周面の第２線速度、
Ｖ３…版胴の外周面の第３線速度、Δ…第１，第２排版用回転体間の速度差。
【図１】
2016215409.tif 000003
【図２】
2016215409.tif 000004
【図３】
2016215409.tif 000005